(57)【要約】【課題】  取付けが容易であり且つ取付けスペースも少ないシート状部材の保持具を、シート状部材への取付けをスムーズにし、作業者の手袋への掛かりを減少する。【解決手段】  保持具１７は、中空筒状の軸部１８と、軸部の一端から周の一部において半径方向外側に延び、シート状部材４の一方の面を保持する複数の係止片１９と、軸部の他端から半径方向外側に延び、シート状部材４の他方の面を保持するフランジ２１とを備え、係止片１９は、その先端が円板形状の円板形先端部分２３に形成され、円板形先端部分２３のシート状部材に接面しない側の面は凸面状に湾曲している。【選択図】          図１０
2006226439.tif 000002
【特許請求の範囲】
【請求項１】
シート状部材の取付穴に挿通されて該シート状部材の両面を保持する保持具であって、前記シート状部材の取付穴に挿通される中空筒状の軸部と、該軸部の一端から周の一部において半径方向外側に延び、前記シート状部材の一方の面を保持する係止片と、前記軸部の他端から半径方向外側に延び、前記シート状部材の取付穴より大径に形成され、前記シート状部材の他方の面を保持するフランジとを備えた保持具において、
前記係止片は、その先端部分が円板形状に形成され、該円板形先端部分は、前記シート状部材に対面しない面が、凸面状に湾曲していることを特徴とする保持具。
【請求項２】
請求項１に記載の保持具において、前記係止片は、前記円板形先端部分と前記軸部との間の部分が、該円板形先端部分の直径より細い幅のアームとして形成されていることを特徴とする保持具。
【請求項３】
請求項１又は２に記載の保持具において、前記軸部は中空に形成されて、該軸部内部には、スタッド係止爪が設けられ、前記軸部の長さは、ボデーパネル等の被取付部材に立設されたスタッドより短く、前記シート状部材に保持具を取付けた状態で、前記スタッドに前記軸部を押し込むと前記スタッドが前記シート状部材の上方に突出し、前記スタッドの突出した部分に別の部材を取付けることができることを特徴とする保持具。
【請求項４】
請求項１〜３のいずれか１項に記載の保持具において、前記シート状部材は、前記フランジが接面するフェルト層と前記係止片が接面する半硬質層とから成り、該シート状部材に取付けられることを特徴とする保持具。
【発明の詳細な説明】
【技術分野】
【０００１】
本発明は、自動車室内の遮音材（サイレンサー）等のシート状部材に取付けられて、シート状部材を自動車のボデーパネル等の被取付部材に固定することができ、また、インナーパネル（車体内側のパネル）やエアコン等の他の部品の組付け時のスペーサとしての機能も持つ保持具に関する。
【背景技術】
【０００２】
特開２００４−１９７８０４号公報（特許文献１）は、サイレンサー等のシート状部材に取付けられて、そのシート状部材を自動車のボデーパネル等の被取付部材に固定することができ、またインナーパネルやエアコンの部品等の他の部品の組付け時のスペーサとしての機能も持つ保持具を開示している。
【０００３】
上記特許文献１の保持具が、図１〜図６に示されている。図１〜図４には、保持具１が単独で示され、図５及び図６には、被取付部材であるボデーパネル２に立設されたスタッド３（図５）又はボルトスタッド３Ａ（図６）に保持具１を用いてシート状部材であるサイレンサー４を取付け、更に、別の部材１１を取付けた状態が示されている。図１及び図２は、保持具１の平面図及び正面図であり、図３及び図４は、図１の保持具１のＡ−Ａ線断面図及びＢ−Ｂ線断面図である。
【０００４】
図１〜図４において、保持具１は、プラスチックの一体成形品であり、シート状部材の取付穴に挿通される中空筒状の軸部５と、軸部５の一端から周の一部において半径方向外側に延び、シート状部材の一方の面を保持する、２対の係止片６と、軸部５の他端から半径方向外側に延び、シート状部材の取付穴より大径に形成され、シート状部材の他方の面を保持するフランジ７とを備えている。軸部５は、中空に形成され、内側には４個のスタッド係止爪９が形成されている。係止片６は、対を成す先端間の距離が、シート状部材の取付穴の内径より大きいが、その取付穴を押し広げて通過することができる距離になっている。係止片６は、軸部５が取付穴を通過するとき取付穴を押し広げながら通ってシート状部材の上面に出て、その後、押し広げられたシート状部材の取付穴は元の大きさに戻り、係止片６の下面がシート状部材の上面に接面し、係止片６とフランジ７とでシート状部材を両側から保持して、これによって、保持具１がシート状部材に取付けられる。
【０００５】
更に、保持具１には、中空の軸部５の内側にスタッド係止爪９が複数形成されている。図５及び図６に図示のように、軸部５の長さは、ボデーパネル２等の被取付部材に立設されたスタッド３又は３Ａより短い。軸部５をシート状部材としてのサイレンサー４の取付穴に挿入して保持具１をサイレンサー４に取付けた状態で、スタッド３（図５）又はボルトスタッド３Ａ（図６）を軸部５の中空部分に受入れるように押し込むと、スタッド３又は３Ａがサイレンサー４の上方に突出する。スタッド３又は３Ａの突出した部分には、図５、インナーパネルやエアコンの部品等の別の部材１１を取付けることができる。なお、軸部５は、係止片６がサイレンサー４に接面した状態においてサイレンサー４より上方に突出しており、別の部材１１は、軸部５の上面と係止片６に当接して停止し、サイレンサー４を押し潰すことはなく、保持具１は、シート状部材のスペーサとしても機能する。
【０００６】
【特許文献１】特開２００４−１９７８０４号公報
【発明の開示】
【発明が解決しようとする課題】
【０００７】
特許文献１に記載のシート状部材の保持具は、上記のように、容易にシート状部材へ取付けられ、シート状部材への取付けスペースが少ないので好ましく、また、インナーパネルやエアコン部品等の他の部品への組み付け時のスペーサ機能を持つので好ましい。しかし、保持具１の軸部５をシート状部材の取付穴に挿入するとき、係止片が取付穴に引っ掛かり易いという点で改良の余地があり、シート状部材がフェルト層等の柔らかい材料でなる場合に取付け時に係止片が引っ掛かりによって破損する虞れがあった。また、シート状部材に保持具を取付けた保持具付きのシート状部材を自動車の組付けラインに搬送する場合において、保持具同士が引っ掛かって保持具の損傷や抜け外れを招く虞れがあり、あるいは、シート状部材の係止片側の面を傷つける虞れもあった。
【０００８】
従って、本発明の目的は、シート状部材への取付けが容易であり且つ取付けスペースも少ないシート状部材の保持具を、シート状部材へ引っ掛かりを少なくして、シート状部材への破損の虞れを最小限にし、取付けもスムーズにし、作業者の手袋への掛かりを減少することにある。
【課題を解決するための手段】
【０００９】
かかる目的を達成するため、シート状部材の取付穴に挿通されてシート状部材の両面を保持する保持具は、シート状部材の取付穴に挿通される中空筒状の軸部と、軸部の一端から周の一部において半径方向外側に延び、シート状部材の一方の面を保持する係止片と、軸部の他端から半径方向外側に延び、シート状部材の取付穴より大径に形成され、シート状部材の他方の面を保持するフランジとを備えており、本発明において、係止片は、その先端部分が円板形状に形成され、円板形先端部分は、シート状部材に対面しない面が、凸面状に湾曲していることを特徴とする。
【００１０】
かかる特徴によって、係止片は、軸部がシート状部材の取付穴に挿入されるときシート状部材の取付穴の内壁面をスムーズにスライドするので、保持具は引っ掛かることなくシート状部材へスムーズに取付けられ、フェルト層等の柔らかい材料を破損することがなくなり、手袋を着けた作業者の手が係止片に引っ掛かることも減少し、取付け後においては係止片の先端部分の形状によって係止片が作業者の指に引っ掛かることが防止でき、保持具同士の引っ掛かり合いもなくなり、シート状部材をボデーパネル等の被取付部材に取付けるときにも保持具の係止片が作業者の手袋に引っ掛かるのを防止する。
【００１１】
上記保持具において、係止片は、円板形先端部分と軸部との間の部分が、円板形先端部分の直径より細い幅の可撓性アームとして形成されている。これによって、係止片の可撓性と円板形先端部分の滑らかさが増す。また、軸部は中空に形成され、軸部内部にはスタッド係止爪が設けられ、軸部の長さは、ボデーパネル等の被取付部材に立設されたスタッドより短く、シート状部材に保持具を取付けた状態で、スタッドに軸部を押し込むとスタッドがシート状部材の上方に突出し、スタッドの突出した部分に別の部材を取付けることができるのが好ましい。なお、フランジが接面するフェルト層と係止片が接面する半硬質層から成るシート状部材に保持具を取付けることができる。
【発明を実施するための最良の形態】
【００１２】
以下、図面を参照して本発明の１実施形態に係るシート状部材の保持具１７について説明する。図７〜図９に、保持具１７の詳細が示され、図１０及び図１１に、保持具１７がシート状部材であるサイレンサー４に取付けられる様子が示されている。なお、サイレンサー４は、遮音のためのものであり、一般的には、吸音に適した厚いフェルト層４ａとおもて面と成る薄い半硬質層４ｂとで成るシート部材で成る。半硬質層は、例えば、ＰＶＣ（ポリ塩化ビニル）、ポリオレフィン、硬質フェルト等のやや硬いシート材料で形成される。図１２は、図５と同様に、サイレンサー４に取付けられた保持具１７を、被取付部材としてのボデーパネル２に立設されたスタッド３に係止して、サイレンサー４をボデーパネル２に取付けるとともに、スタッド３にインナーパネル等の別の部材１１を取付けた様子を示している。
【００１３】
本発明に係るシート状部材の保持具１７は、プラスチックの一体成形品で成る。図７〜図９に示すように、保持具１７は、サイレンサー４の取付穴に挿通される中空の筒状の軸部１８と、軸部１８の一端（図８及び図９の上端）から周の一部において半径方向外側に延び、サイレンサー４（シート状部材）の一方の面（上面）を保持する４個の係止片１９と、軸部１８の他端（図８及び図９の下端）から半径方向外側に延び、サイレンサー４の取付穴より大径に形成され、サイレンサーの他方の面（下面）を保持するフランジ２１とを備えている。
【００１４】
軸部１８は、図５のスタッド３又は図６のボルトスタッド３Ａを受け入れるように中空に形成されている。中空の軸部１８の内側には、半径方向内側に向かって延びる、４個のスタッド係止爪２２が形成されている。スタッド係止爪２２は、スタッド３の係止溝又はボルトスタッド３Ａのねじに係止する。図５及び図６に示す保持具１の軸部５と同様に、軸部１８は、サイレンサー４に取付けられた状態でサイレンサー４の上面よりやや突出する長さを有し、スペーサとしての機能も有する。
【００１５】
各係止片１９は、先端部分２３が平面視（図７）において円板形に形成されている。円板形先端部分２３は、サイレンサー４に取付けられたときサイレンサー４に対面しない側の面（図８において上面）が、凸面状に湾曲するように形成されている。この凸面形状は半球形状、ドーム形状、あるいは円盤形状にできる。また、各係止片１９は、円板形先端部分２３と軸部１８に連結される根元との間の部分２５が、円板形先端部分２３の直径より細い幅のアーム２５として形成されている。アーム２５は、サイレンサー４のフェルト層４ａが先端部分２３に係合する場合には撓まないが、半硬質層４ｂに係合して抜け出るときに撓み、抜け出た後には元の姿勢に復帰する可撓性を有する。係止片１９の先端が円板形状で且つ図８の上面が凸面形状に形成されているので、軸部１８がシート状部材４の取付穴に挿入されるとき、係止片１９の先端部分２３は取付穴の内壁面をスムーズにスライドして、保持具１７は引っ掛かることなくシート状部材４へスムーズに取付けられ、フェルト層等の柔らかい材料を破損することがなくなり、手袋を着けた作業者の手が係止片１９に引っ掛かることも減少し、保持具１７の取付いたシート状部材をボデーパネル２等の被取付部材に取付けるときにも係止片１９の先端が作業者の手袋に引っ掛かるのを防止する。
【００１６】
図１０及び図１１を参照して保持具１７をサイレンサー４に取付ける操作を説明する。図１０において、作業者は、保持具１７を指でもって、フランジ２１の一部がフェルト層４ａに接面し且つ４個の係止片１９のうちの２個の係止片１９の先端２３が半硬質層４ｂに掛かるように軸部１８を斜めにして保持具１７を取付穴２６に押込み、フランジ２１に一方の指３３（例えば、人差し指）フランジ２１に置き、他の指３４を（例えば親指）サイレンサー４の半硬質層４ｂのおもて面に置いて、指３３及び指３４に矢印３５及び矢印３７で示す押込み力を加えて、サイレンサー４に掛かった部分を支点にして他の側の部分を押込む。これによって、残りの２つの係止片１９の先端部分２３が取付穴２６の内壁面を押圧して係合しながらフェルト層４ａの下面から半硬質層４ｂの上面に抜ける。係止片１９の円板形先端部分２３が、円板形に形成され且つ上面が凸面状に湾曲しているので、２つの係止片先端部分２３は、取付穴２６の内壁面を、フェルト層４ａの部分で引っ掛かることがなくスムーズにスライドして、半硬質層４ｂを抜け出るときにはアーム２５も少し撓むので保持具１７はサイレンサー４へ引っ掛かり無く取付けられる。従って、柔らかいフェルト層４ａの破損は防止され、勿論半硬質層４ｂの破損もない。また、取付け作業において手袋を着けた作業者の手が係止片１９に引っ掛かることも減少する。
【００１７】
係止片１９が取付穴を抜け出た後には、図１１（Ａ）及び（Ｂ）に図示のように、係止片１９全体がおもて面の半硬質層４ｂ上に密着するように接面する。フランジ２１はサイレンサー４の下面に接面しており、４個の係止片１９の円板形先端部分２３とフランジ２１とでサイレンサー４を押圧するように両側から確実に保持して、これによって、保持具１７がサイレンサー４にしっかり取付けられる。保持具１７がサイレンサー４に取付いた後において、手袋を着けた作業者の手が係止片１９に引っ掛かることも減少し、取付け後においては係止片１９の先端部分２３の形状によってサイレンサー４をボデーパネル２等の被取付部材に取付けるときにも保持具１７の係止片１９が作業者の手袋に引っ掛かるのを防止する。また、サイレンサー４をボデーパネル２がある場所へ搬送するときに複数のサイレンサー４をパック詰めにした場合にも、保持具１７同士の引っ掛かり合いはなくなる。
【００１８】
図７及び図１２に図示のように、軸部１８の内側には、スタッド係止爪２２が形成されている。また、軸部１８は、サイレンサー４に取付けられた状態でサイレンサー４の上面よりやや突出する長さを有する。図１１のように、サイレンサー４に保持具１７を取付けた状態で、サイレンサー４を、被取付部材としてのボデーパネル２のボルトスタッド３Ａが立設された場所に搬送する。保持具１７の軸部１８をボルトスタッド３Ａが軸部１８の中空部分に入るように押し込むと、スタッド係止爪２２がスタッド３Ａのねじ２７に係合してサイレンサー４がボデーパネル２に取付けられる。ボルトスタッド３Ａは、図１２に図示のように、サイレンサー４の上方に突出する。このスタッド３Ａの突出部分には、例えば、インナーパネルやエアコンの部品等の別の部材１１の取付部分２９が、ボルトスタッド３Ａを受入れるように配置されて、ねじ２７にナット３０がねじ込まれる。これによって、ボデーパネル２には、サイレンサー４の他に、別の部材１１も取付けることができる。この場合に、軸部１８は、係止片１９がサイレンサー４に接面した状態でサイレンサー４より上方に突出しており、別の部材１１は、軸部１８の上面と係止片１９に当接して停止しているので、フェルト層４ａ等の柔らかい材料で成るサイレンサー４を押し潰すことはなく、保持具１７は、サイレンサー４のスペーサとしても機能する。
【図面の簡単な説明】
【００１９】
【図１】従来の保持具の平面図である。
【図２】図１の保持具の正面図である。
【図３】図１の保持具のＡ−Ａ線断面図である。
【図４】図１の保持具のＢ−Ｂ線断面図である。
【図５】図１の保持具を用いてボデーパネルにサイレンサーと別の部材とを取付けた様子を示す断面図である。
【図６】図５とは違うスタッドが立設されたボデーパネルに図１の保持具を用いてサイレンサーと別の部材とを取付けた様子を示す断面図である。
【図７】本発明の実施形態に係る保持具の平面図である。
【図８】図７の保持具の正面図である。
【図９】図７の保持具の側面図である。
【図１０】図７の保持具をサイレンサーに取付ける途中の状態の図である。
【図１１】図７の保持具をサイレンサーに取付けた後の状態を示し、（Ａ）はサイレンサーを断面して示す図、（Ｂ）は平面図である。
【図１２】図７の保持具をサイレンサーに取付け、そのサイレンサーをボルトスタッドが立設されたボデーパネルに取付けるとともに、ボルトスタッドに別の部材を取付けた様子を示す断面図である。
【符号の説明】
【００２０】
１  従来のシート状部材の保持具
２  ボデーパネル（被取付部材）
３  スタッド：３Ａ  ボルトスタッド
４  サイレンサー（シート状部材）
５  軸部
６  係止片
７  フランジ
９  スタッド係止爪
１１  別の部材
１７  本発明に係るシート状部材の保持具
１８  軸部
１９  係止片
２１  フランジ
２２  スタッド係止爪
２３  円板形先端部分
２５  可撓性アーム
２６  シート状部材の取付穴
２７  係止溝
２９  取付部分
３０  ナット
【図１】
2006226439.tif 000003
【図２】
2006226439.tif 000004
【図３】
2006226439.tif 000005
【図４】
2006226439.tif 000006
【図５】
2006226439.tif 000007
【図６】
2006226439.tif 000008
【図７】
2006226439.tif 000009
【図８】
2006226439.tif 000010
【図９】
2006226439.tif 000011
【図１０】
2006226439.tif 000012
【図１１】
2006226439.tif 000013
【図１２】
2006226439.tif 000014